(57)【要約】【課題】上火バーナと下火バーナとに点火するとき、下火バーナによる上火バーナの煽りが軽減されて、上火バーナへの着火が円滑に行われるグリル装置を提供する。【解決手段】グリル庫３の被調理物を上方から加熱する上火バーナ７と、グリル庫３の被調理物を下方から加熱する下火バーナ８と、各バーナ７，８を制御するグリルバーナ制御手段９とを備える。グリルバーナ制御手段９は、上火バーナ７と下火バーナ８との燃焼を開始させるとき、上火バーナ７への点火動作により着火検出手段１８が上火バーナ７の着火を検出した後に、下火バーナ８への点火動作を行う。【選択図】図１
2020025633.tif 000002
【特許請求の範囲】
【請求項１】
被調理物を収容するグリル庫と、該グリル庫内の被調理物を上方から加熱する上火バーナと、前記グリル庫内の被調理物を下方から加熱する下火バーナと、前記各バーナに点火するための点火手段と、前記各バーナの着火を検出する着火検出手段と、前記各バーナの燃焼を制御するグリルバーナ制御手段とを備えるグリル装置において、
前記グリルバーナ制御手段は、前記上火バーナと前記下火バーナとの燃焼を開始させるとき、前記上火バーナへの点火動作により前記着火検出手段が前記上火バーナの着火を検出した後に、前記下火バーナへの点火動作を行うことを特徴とするグリル装置。
【請求項２】
被調理物を収容するグリル庫と、該グリル庫内の被調理物を上方から加熱する上火バーナと、前記グリル庫内の被調理物を下方から加熱する下火バーナと、前記各バーナに点火するための点火手段と、前記各バーナの着火を検出する着火検出手段と、前記各バーナの燃焼を制御するグリルバーナ制御手段とを備えるグリル装置において、
前記グリルバーナ制御手段は、前記上火バーナと前記下火バーナとの燃焼を開始させるとき、前記上火バーナの火力レベルを大とし、前記下火バーナの火力レベルを小として両バーナへの点火動作を行うことを特徴とするグリル装置。
【請求項３】
請求項１又は２記載のグリル装置において、
前記グリルバーナ制御手段は、前記下火バーナの燃焼中に、消火状態にあった前記上火バーナの燃焼を開始させるとき、前記上火バーナへの点火動作に先立って前記下火バーナを消火させ、次いで、前記上火バーナへの点火動作により前記着火検出手段が前記上火バーナの着火を検出した後に、前記下火バーナへの再点火動作を行うことを特徴とするグリル装置。
【請求項４】
請求項１又は２記載のグリル装置において、
前記グリルバーナ制御手段は、前記下火バーナの燃焼中に、消火状態にあった前記上火バーナの燃焼を開始させるとき、前記下火バーナの火力レベルを小として該下火バーナの燃焼状態を維持し、その後、前記上火バーナの火力レベルを大として該上火バーナへの点火動作を行うことを特徴とするグリル装置。
【発明の詳細な説明】
【技術分野】
【０００１】
本発明は、上火バーナと下火バーナとを備えるグリル装置に関する。
【背景技術】
【０００２】
この種のグリル装置として、調理中に被調理物を裏返すことなく被調理物の上下両面を加熱するために、上火バーナと下火バーナとを備えているものが知られている。
【０００３】
更に、この種のグリル装置においては、上火バーナと下火バーナとを各別に制御するようにしたものが知られている（下記特許文献１参照）。このものでは、上火バーナを消火して下火バーナによって被調理物を加熱することにより、被調理物の焦げ過ぎを防止しながらグリル庫内の温度を比較的高くして、所謂オーブン調理を可能としている。
【先行技術文献】
【特許文献】
【０００４】
【特許文献１】特開２０１２−２２３３６１号公報
【発明の概要】
【発明が解決しようとする課題】
【０００５】
ところで、グリル装置による調理を開始するとき、上火バーナと下火バーナとを同時に点火する、或いは、下火バーナが燃焼状態で上火バーナに点火すると、上火バーナへの着火（火移り等）が円滑に行われず点火不良となる場合がある。
【０００６】
下火バーナが着火すると、下火バーナから発生する燃焼排ガスが上昇する。上火バーナは、このときの燃焼排ガスが当たって煽りを受ける。
【０００７】
上火バーナは、下向きに火炎が形成される燃焼面を備える構造であることにより、燃焼面への混合ガス（燃料ガスと燃焼空気とが混合されたもの）の供給速度や燃焼面に沿った火移り速度等が、下火バーナよりも遅い。このため、上火バーナは、火移り途中で下火バーナの燃焼排ガスによる煽りを受けると、上火バーナの火移りの進行が阻害されて点火不良が生じ易い。
【０００８】
上記の点に鑑み、本発明は、上火バーナと下火バーナとに点火するとき、下火バーナによる上火バーナの煽りが軽減されて、上火バーナへの着火が円滑に行われるグリル装置を提供することを目的とする。
【課題を解決するための手段】
【０００９】
かかる目的を達成するための本発明は、被調理物を収容するグリル庫と、該グリル庫内の被調理物を上方から加熱する上火バーナと、前記グリル庫内の被調理物を下方から加熱する下火バーナと、前記各バーナに点火するための点火手段と、前記各バーナの着火を検出する着火検出手段と、前記各バーナの燃焼を制御するグリルバーナ制御手段とを備えるグリル装置において、前記グリルバーナ制御手段は、前記上火バーナと前記下火バーナとの燃焼を開始させるとき、前記上火バーナへの点火動作により前記着火検出手段が前記上火バーナの着火を検出した後に、前記下火バーナへの点火動作を行うことを特徴とする。
【００１０】
本発明によれば、上火バーナが着火した後に、下火バーナへの点火動作が行われる。即ち、上火バーナの火移りが完了して燃焼状態となってから、遅れて下火バーナが燃焼状態となる。これにより、上火バーナは、点火の際の火移りの途中で、下火バーナからの燃焼排ガスの煽りを受けることが回避される。従って、上火バーナを点火したときの着火が円滑に行われ、点火不良の発生を防止することができる。
【００１１】
上記目的を達成するための本発明の他の態様は、被調理物を収容するグリル庫と、該グリル庫内の被調理物を上方から加熱する上火バーナと、前記グリル庫内の被調理物を下方から加熱する下火バーナと、前記各バーナに点火するための点火手段と、前記各バーナの着火を検出する着火検出手段と、前記各バーナの燃焼を制御するグリルバーナ制御手段とを備えるグリル装置において、前記グリルバーナ制御手段は、前記上火バーナと前記下火バーナとの燃焼を開始させるとき、前記上火バーナの火力レベルを大とし、前記下火バーナの火力レベルを小として両バーナへの点火動作を行うことを特徴とする。
【００１２】
本発明によれば、点火時には、上火バーナの火力レベルを大として比較的多くの燃料ガスを供給する一方、下火バーナの火力レベルを小として燃料ガスの供給を少なく抑える。これにより、上火バーナの点火時（火移り中）に、下火バーナの燃焼排ガスによる煽りを抑えることができる。よって、上火バーナと下火バーナとを同時に点火動作しても、上火バーナの点火不良の発生を抑制することができる。
【００１３】
ところで、例えば、被調理物の焦げ過ぎを防止しながらグリル庫内の温度を比較的高く維持する調理モードにおいては、上火バーナが消火状態で下火バーナを燃焼させ、その後、上火バーナの燃焼を開始させることがある。このときには、上火バーナが、下火バーナからの燃焼排ガスの煽りの影響を受けて上火バーナへの着火が円滑に行われないおそれがある。
【００１４】
本発明において、前記グリルバーナ制御手段は、前記下火バーナの燃焼中に、消火状態にあった前記上火バーナの燃焼を開始させるとき、前記上火バーナへの点火動作に先立って前記下火バーナを消火させ、次いで、前記上火バーナへの点火動作により前記着火検出手段が前記上火バーナの着火を検出した後に、前記下火バーナへの再点火動作を行うことを特徴とする。
【００１５】
これによれば、上火バーナへの点火動作に先立って下火バーナを消火されるので、点火によって火移り中の上火バーナは、下火バーナからの燃焼排ガスの煽りを受けることがない。よって、被調理物の焦げ過ぎを防止しながらグリル庫内の温度を比較的高く維持する調理モード等を実行中に、上火バーナの点火不良が防止でき、調理失敗等の発生を防止することができる。
【００１６】
或いは、本発明において、前記グリルバーナ制御手段は、前記下火バーナの燃焼中に、消火状態にあった前記上火バーナの燃焼を開始させるとき、前記下火バーナの火力レベルを小として該下火バーナの燃焼状態を維持し、その後、前記上火バーナの火力レベルを大として該上火バーナへの点火動作を行うことを特徴とする。
【００１７】
この場合には、上火バーナへの点火動作に先立って下火バーナの火力レベルを小とし（燃料ガスの供給を小とし）、上火バーナは、火力レベルを大として（燃料ガスの供給を大として）点火動作を行う。これにより、上火バーナを点火する時の下火バーナからの燃焼排ガスの発生が少なくなって、上火バーナへの煽りを抑えることができる。よって、上火バーナの点火不良による調理失敗等の発生を抑制することができる。更に、上火バーナへの点火の際に、下火バーナの火力レベルを小とすることにより、例えば、燃料ガスの供給路に設けられている弁装置の閉弁動作が不要となるので、開閉動作回数増加に伴う弁装置の耐久性低下を抑制することができる。
【図面の簡単な説明】
【００１８】
【図１】本発明の実施形態によるグリル装置を模式的に示す説明図。
【図２】初期点火動作を示すフローチャート。
【図３】初期点火動作の他の例を示すフローチャート。
【発明を実施するための形態】
【００１９】
本発明の実施形態を図面に基づいて説明する。図１は、本実施形態のグリル装置１の構成を模式的に示している。なお、本実施形態のグリル装置１は、図示しないが、天面に複数のコンロバーナを備えるガスコンロの筐体に組み込まれている。
【００２０】
グリル装置１は、図１に示すように、前面開口２を有するグリル庫３と、グリル庫３の前面開口２を開閉自在に閉塞するグリル扉４とを備えている。グリル扉４には受け皿５が支持されている。受け皿５は、グリル扉４の開閉によりグリル庫３内から出し入れされる。受け皿５の上方には、魚等の被調理物を載置する焼網やプレートパン等の載置部６が設けられている。
【００２１】
グリル庫３には、載置部６に載置された被調理物を上方から加熱する上火バーナ７と、被調理物を下方から加熱する下火バーナ８とが設けられている。上火バーナ７と下火バーナ８とは、グリルコントローラ９（グリルバーナ制御手段）により制御される。グリル庫３の後端部には、グリル庫３内で発生した水蒸気や煙成分等を含む排気ガス等を機外に排出する排気口１０が形成されている。
【００２２】
なお、本実施形態において採用されている下火バーナ８は、グリル庫３の奥行き方向に長手で、側方に火炎を形状するタイプのものである。しかし、これ以外に、図示しないが、グリル庫３の底側から円形に火炎を形成するタイプのバーナを下火バーナとして採用してもよい。
【００２３】
図示しないコンロ筐体の前面には、グリルコントローラ９に対して各種の設定や自動調理の運転指示を行う設定操作パネル１１と、タイマ時間やエラー表示等の各種の情報を表示させる表示器１２と、上火バーナ７及び下火バーナ８の点火と消火を指示するためのグリル操作釦１３とが設けられている。
【００２４】
上火バーナ７への点火は、上火バーナ点火電極１４の火花放電により行われる。下火バーナ８への点火は、下火バーナ点火電極１６の火花放電により行われる。上火バーナ点火電極１４と下火バーナ点火電極１６とは、グリルイグナイタ１７を駆動することにより火花放電を発生させる。上火バーナ点火電極１４、下火バーナ点火電極１６、及びグリルイグナイタ１７は本発明における点火手段に相当する。
【００２５】
また、上火バーナ７の着火の有無は上火バーナ熱電対１８により検出され、下火バーナ８の着火の有無は下火バーナ熱電対１９により検出される。上火バーナ熱電対１８及び下火バーナ熱電対１９は本発明における着火検出手段に相当する。
【００２６】
上火バーナ７と下火バーナ８とには、ガス供給管２１を介して燃料ガスが供給される。ガス供給管２１には、上火バーナ７と下火バーナ８とに対して各別に燃料ガスの供給と遮断を切り替える元ガス弁２２，２３とガス量調節弁２４，２５とが設けられている。
【００２７】
グリルコントローラ９は、記憶部２６と、エラー処理部２７と、上火バーナ７及び下火バーナ８の燃焼を制御する調理制御部２８とを機能的に備えている。記憶部２６には、各種の調理を行うための制御プログラムや、後述する点火動作時間データ及び待機時間データが格納されている。グリルコントローラ９には、設定操作パネル１１からの信号、グリル操作釦１３からの信号、及び各熱電対１８，１９の燃焼状態検出信号が入力される。
【００２８】
調理制御部２８は、上記の各入力信号に基づいて制御プログラムを実行し、上火バーナ７や下火バーナ８の燃焼運転を行う。更に、調理制御部２８は、点火制御部２９を機能的に備えている。点火制御部２９は、点火タイマ３０を備えている。点火制御部２９は、調理制御部２８の点火動作時間データ及び待機時間データを用いて上火バーナ７や下火バーナ８の点火動作を実行する。点火タイマ３０には、記憶部２６に予め記憶されている点火動作時間データが設定され、この時間がグリルイグナイタ１７の駆動時間となる。
【００２９】
次に、本実施形態のグリル装置１におけるグリルコントローラ９による点火動作の一例を説明する。グリル装置１の運転は、使用者がグリル操作釦１３のＯＮ操作（本実施形態では押し操作）を行うことで開始される。グリル操作釦１３がＯＮ操作されると、点火制御部２９の制御によって上火バーナ７及び下火バーナ８の初期点火動作が実行される。点火制御部２９の制御による初期点火動作を図２に基づいて説明すると、ＳＴＥＰ１で、点火タイマ３０による計時を開始する。なお、点火タイマ３０は、ＳＴＥＰ１での計時に先立ってリセットされる。
【００３０】
次いで、点火制御部２９は、ＳＴＥＰ２へ進み、グリルイグナイタ１７の駆動を開始すると同時に上火バーナ７の元ガス弁２２を開ける。このときの、グリルイグナイタ１７の駆動時間は、記憶部２６に予め記憶されている上火バーナ７の初期点火時の点火動作時間データに基づいて点火タイマ３０に設定されたものであり、本実施形態においては１０秒とされている。
【００３１】
続いて、点火制御部２９は、ＳＴＥＰ３へ進んで上火バーナ熱電対１８からの信号に基づいて上火バーナ７の着火の有無を判断する。ＳＴＥＰ３で、上火バーナ７の着火が検出されると、ＳＴＥＰ４へ進む。ＳＴＥＰ３における上火バーナ７の着火の監視は、点火タイマ３０が１０秒でタイムアップするまで行われる。このときの点火タイマ３０におけるタイムアップ監視は、後述するＳＴＥＰ８により行われる。
【００３２】
点火制御部２９は、ＳＴＥＰ４へ進むと、点火タイマ３０による計時を開始する。このとき、点火タイマ３０は、計時開始に先立ってリセットされ、下火バーナ７の初期点火時の点火動作時間データに基づく計時を開始する。
【００３３】
次いで、点火制御部２９は、ＳＴＥＰ５へ進んで下火バーナ８の元ガス弁２３を開ける。そして、点火制御部２９は、ＳＴＥＰ６で下火バーナ熱電対１９からの信号に基づいて下火バーナ８の着火の有無を判断し、下火バーナ８の着火が検出されると、ＳＴＥＰ７へ進んでグリルイグナイタ１７の駆動を停止させる。これにより初期点火動作が終了する。
【００３４】
以上のように、点火制御部２９は、上火バーナ７が着火した後に、下火バーナ８への点火動作を行う。これにより、上火バーナ７は、点火の際の火移りの途中で、下火バーナ８からの燃焼排ガスの煽りを受けることがなく、着火が円滑に行われる。
【００３５】
ＳＴＥＰ３で、上火バーナ７の着火が検出されず、ＳＴＥＰ８で点火タイマ３０のタイマのタイムアップが確認された場合には、点火制御部２９は、ＳＴＥＰ９でグリルイグナイタ１７を停止させ、上火バーナ７の元ガス弁２２を閉じて、ＳＴＥＰ１０へ進む。ＳＴＥＰ１３では、上火バーナ７の点火失敗を示すエラーコード等を表示器１２に表示させる。このとき、ブザーや、音声によって上火バーナ７の点火が失敗した旨を報知してもよい。
【００３６】
ＳＴＥＰ６で、下火バーナ８の着火が検出されずに、ＳＴＥＰ１１で点火タイマ３０のタイマのタイムアップが確認された場合には、点火制御部２９は、ＳＴＥＰ１２でグリルイグナイタ１７を停止させ、上火バーナ７の元ガス弁２２と下火バーナ８の元ガス弁２３とを閉じる。そして、ＳＴＥＰ１３へ進んで、下火バーナ８の点火失敗を示す表示、或いは、ブザーや音声による報知を行う。
【００３７】
なお、グリルコントローラ９による初期点火動作については、上火バーナ７の点火と下火バーナ８の点火とを同時に実行するようにしてもよい。即ち、図３に示すように、使用者がグリル操作釦１３のＯＮ操作を行うと、点火制御部２９は、ＳＴＥＰ２０で点火タイマ３０による計時を開始する。
【００３８】
次いで、点火制御部２９は、ＳＴＥＰ２１へ進み、上火バーナ７のガス量調節弁２４の開度を大とし、下火バーナ８のガス量調節弁２５の開度を小とする。
【００３９】
続いて、点火制御部２９は、ＳＴＥＰ２２へ進んで、グリルイグナイタ１７の駆動を開始すると同時に上火バーナ７の元ガス弁２２と下火バーナ８の元ガス弁２３とを開ける。このとき、ＳＴＥＰ２１が実行されている状態なので、下火バーナ８の火力レベルを小さくして燃焼排ガスの発生量を少なく抑えておきながら、火力レベルを大きく設定した上火バーナ７への点火が行われる。
【００４０】
そして、点火制御部２９は、ＳＴＥＰ２３へ進んで上火バーナ熱電対１８及び下火バーナ熱電対１９からの信号に基づいて上火バーナ７及び下火バーナ８の着火の有無を判断する。ＳＴＥＰ２３で、上火バーナ７と下火バーナとの両方の着火が検出されると、ＳＴＥＰ２４へ進んで、グリルイグナイタ１７の駆動を停止させる。これにより初期点火動作が終了する。
【００４１】
以上のように、点火制御部２９は、初期点火動作で上火バーナ７と下火バーナ８とを同時に点火させる場合に、下火バーナ８の着火時に発生する燃焼排ガスの発生量を少なく抑える一方、上火バーナ７の火力レベルを大として点火する。これによって、上火バーナ７と下火バーナ８とを同時に点火しても、下火バーナ８から発生する燃焼排ガスによる上火バーナ７の着火（特に火移り）への悪影響を極めて小さく抑えることができる。
【００４２】
しかも、上火バーナ７と下火バーナ８とを同時に点火させることができるので、上火バーナ７と下火バーナ８とで点火動作の時間差を設ける場合に比べて、点火動作を短時間で完了させることができ、グリルイグナイタ１７の駆動時の火花放電時間が比較的長時間に及んで使用者に不快感を付与する等の不都合もない。
【００４３】
なお、上火バーナ７と下火バーナ８とを同時に点火させるときに、下火バーナ８の火力レベルは、燃焼排ガスの発生量が、上火バーナ７の着火に悪影響を与えない程度であればよく、上火バーナ７においては、そのときに着火可能となる火力レベルであればよい。従って、ＳＴＥＰ２１における上火バーナ７のガス量調節弁２４の開度は最大であるとは限らず（最大火力レベルとは限らず）、また、下火バーナ８のガス量調節弁２５の開度は最小であるとは限らない（最小火力レベルとは限らない）。
【００４４】
また、ＳＴＥＰ２３で、上火バーナ７と下火バーナ８との少なくとも一方の着火が検出されずに、ＳＴＥＰ２５で点火タイマ３０のタイマのタイムアップが確認された場合には、点火制御部２９は、ＳＴＥＰ２６でグリルイグナイタ１７を停止させ、上火バーナ７の元ガス弁２２と下火バーナ８の元ガス弁２３とを閉じる。そして、ＳＴＥＰ２７へ進んで、下火バーナ８の点火失敗を示す表示、或いは、ブザーや音声による報知を行う。
【００４５】
ところで、本実施形態のグリル装置１においては、グリルコントローラ９の調理制御部２８の制御によって、自動調理の一つとして所謂オーブン調理を行うことができるようになっている。調理制御部２８は、オーブン調理を実行すると、当初は上火バーナ７と下火バーナ８との両方を燃焼状態として調理を進め、次いで、上火バーナ７を消火して下火バーナ８のみを燃焼状態とし、その後、点火制御部２９を介して上火バーナ７に点火する。
【００４６】
下火バーナ８が燃焼状態であるときに上火バーナ７に点火しようとしても、上火バーナ７が下火バーナ８の燃焼排ガスの煽りを受けて、上火バーナ７が点火不良となる場合がある。
【００４７】
そこで、本実施形態のグリル装置１においては、下火バーナ８が燃焼状態であった場合に、点火制御部２９は、図示しないが、先ず、下火バーナ８の元ガス弁２３を閉じて下火バーナ８を消火させ、次いで、グリルイグナイタ１７の駆動を開始すると同時に上火バーナ７の元ガス弁２２を開ける。その後は、図２のＳＴＥＰ３以降の処理を行う。
【００４８】
これによれば、燃焼していた下火バーナ８を消火させて、上火バーナ９に対する燃焼排ガスの悪影響をなくすことができ、オーブン調理等の自動調理における失敗を防止することができる。
【００４９】
また、これ以外に、下火バーナ８が燃焼状態であるときに上火バーナ７に点火するとき、点火制御部２９は、図示しないが、先ず、上火バーナ７のガス量調節弁２４の開度を大とする。次いで、下火バーナ８の燃焼状態は維持するが、下火バーナ８のガス量調節弁２５の開度を小として火力レベルを小とする。そして、グリルイグナイタ１７の駆動を開始すると同時に上火バーナ７の元ガス弁２２を開ける。その後は、図３のＳＴＥＰ２３以降の処理を行う。
【００５０】
これによっても、上火バーナ７に点火する際には、下火バーナ８の燃焼排ガスによる煽りを少なくすることができるので、上火バーナ７の点火不良を低減することができる。しかも、上火バーナ７への点火の際に、下火バーナ８の火力レベルを小とすることで元ガス弁２３の開閉動作回数を少なくすることができるので、元ガス弁２３の耐久性の低下を抑制することができる。
【符号の説明】
【００５１】
１…グリル装置、３…グリル庫、７…上火バーナ、８…下火バーナ、９…グリルコントローラ（グリルバーナ制御手段）、１４…上火バーナ点火電極（点火手段）、１６…下火バーナ点火電極（点火手段）、１７…グリルイグナイタ（点火手段）、１８…上火バーナ熱電対（着火検出手段）、１９…下火バーナ熱電対（着火検出手段）。
【図１】
2020025633.tif 000003
【図２】
2020025633.tif 000004
【図３】
2020025633.tif 000005